(57)【要約】      （修正有）【課題】チェーンの張力のバランスを維持し、チェーンの使用寿命を効果的に延ばすことが可能なチェーン式刃物マガジンを提供する。【解決手段】チェーンの張力の調整機構を備えるチェーン式刃物マガジンは、台座１０、転向部１４ａ、チェーン、モータ１６及びチェーンの張力の調整機構を含む。チェーンは、転向部に掛け回すように配置され、モータに駆動され台座によって提供されるトラックに沿って周回する。チェーンの張力の調整機構は、調整部材及び変形部材を含み、調整部材が、ベース部に対して位置を調整可能に台座に接続されており、変形部材は、一方が調整部材に接触されており、他方が転向部に接触されている異なる両端を有し、変形部材は、外力を受けると変形して機械的ポテンシャルエネルギーを蓄積し、外力を取り除くと蓄積した機械的ポテンシャルエネルギーを放出して初期形状に戻る。【選択図】図３
0003233358.tif 000002
【実用新案登録請求の範囲】
【請求項１】
チェーンの張力の調整機構を備えるチェーン式刃物マガジンにおいて、台座と、転向座と、チェーンと、モータとを含み、前記転向座は、前記台座の一側に配置されており、前記チェーンは、前記台座によって提供されるトラックに沿って掛けられ且つ前記転向座に掛け回するように配置されており、前記モータは、前記チェーンを前記トラックに沿って周回させるように駆動し、
前記台座はベース部を有し、
前記転向座は、前記ベース部に対して移動可能に前記台座に結合されるとともに、転向部を有し、前記チェーンが前記転向部に接触しながら前記転向部に掛け回するように配置されており、
前記チェーンの張力の調整機構は、調整部材及び変形部材を含み、前記調整部材が、前記ベース部に対して位置を調整可能に前記ベース部に接続されており、前記変形部材は、一方が前記調整部材に接触されており、他方が前記転向座に接触されている異なる両端を有し、前記変形部材は、外力を受けると変形して機械的ポテンシャルエネルギーを蓄積し、前記外力を取り除くと蓄積した機械的ポテンシャルエネルギーを放出して初期形状に戻る、
チェーンの張力の調整機構を備えるチェーン式刃物マガジン。
【請求項２】
前記台座の前記ベース部はねじ孔を有し、前記転向座は当接部を有し、
前記調整部材は、前記ねじ孔をスクリューイン・アウトできるねじ部と、前記ねじ部の一端に配置された支持部とを有し、
前記変形部材の両端は、一方が前記支持部に接触しており、他方が前記当接部に接触している、
請求項１に記載のチェーンの張力の調整機構を備えるチェーン式刃物マガジン。
【請求項３】
前記チェーンの張力の調整機構は、ガイドロッドを含み、
前記ガイドロッドの一端は前記転向座に接続されており、他端は前記台座の前記ベース部を貫通しており、
前記変形部材は、前記ガイドロッドを外嵌され、両端が前記調整部材の前記支持部及び前記転向座の前記当接部にそれぞれ当接しているスプリングを含む、
請求項２に記載のチェーンの張力の調整機構を備えるチェーン式刃物マガジン。
【請求項４】
前記調整部材は、スクリュ及び調整ブロックを含み、
前記スクリュは、前記ねじ部を有し、前記調整ブロックは、前記支持部を構成するとともに前記ベース部と前記転向座との間に配置されており、
前記調整ブロックは、前記ガイドロッドが貫通する穿孔を有し、前記スクリュの基端は、前記調整ブロックに当接している、
請求項３に記載のチェーンの張力の調整機構を備えるチェーン式刃物マガジン。
【請求項５】
前記調整部材は、外周面が前記ねじ部を構成し基端が前記支持部を構成する軸管を有し、前記軸管は、前記ガイドロッドが貫通する軸孔を有する、
請求項３に記載のチェーンの張力の調整機構を備えるチェーン式刃物マガジン。
【請求項６】
前記チェーンの張力の調整機構は、前記ねじ部にロックされるとともに前記ベース部に当接する緩み止めナットを含む、
請求項４または５に記載のチェーンの張力の調整機構を備えるチェーン式刃物マガジン。
【請求項７】
前記スプリングはフラットワイヤースプリングである、
請求項４または５に記載のチェーンの張力の調整機構を備えるチェーン式刃物マガジン。
【請求項８】
前記転向座は、少なくとも一つの長溝孔を有し、
少なくとも一つのガイドピンが前記台座に接続されているとともに前記長溝孔を貫通している、
請求項１に記載のチェーンの張力の調整機構を備えるチェーン式刃物マガジン。
【請求項９】
前記台座はシュートを有し、
前記転向座は、前記シュートに沿って移動可能に該シュートに位置するウィングブロックを有する、
請求項１に記載のチェーンの張力の調整機構を備えるチェーン式刃物マガジン。
【請求項１０】
前記モータは、前記転向座に接続されている、
請求項１に記載のチェーンの張力の調整機構を備えるチェーン式刃物マガジン。
【考案の詳細な説明】
【技術分野】
【０００１】
本考案は、チェーン式刃物マガジンに関し、特にチェーンの張力の調整機構を備えるチェーン式刃物マガジンに関する。
【背景技術】
【０００２】
既知のチェーン式刃物マガジンは、一つのチェーン及び複数のスプロケットを含み、前記チェーンは、前記複数のスプロケットを、行進トラックを変更させるための支点とし、一つのスプロケットはモータに駆動され回動してチェーンを行進させる。前記チェーン式刃物マガジンは、チェーンを周回させるように駆動することでチェーンに結合された工具（刃物）を所定の位置まで搬送させて、刃物交換アームによって工具を主軸（ｓｐｉｎｄｌｅ）に取り付けて刃物交換の目的を実現する。
【０００３】
上記のチェーンは行進する過程において、スプロケットを境に未回転チェーンセグメントと回転チェーンセグメントとに区分される。前記チェーンセグメントがそれぞれ張力や押力を受けるため、チェーンには常に、一方側のチェーンセグメントの張力は他方側のチェーンセグメントの張力と不均一になる。この結果、クリック現象を生じ、クリック箇所にチェーンの一部の不適切な衝撃が発生し、長期になるとチェーンの使用寿命が短くなる。
【考案の概要】
【考案が解決しようとする課題】
【０００４】
これに鑑みて、本考案は、チェーンの張力のバランスを効果的に保持することができ、チェーンの張力の調整機構を備えるチェーン式刃物マガジンを提供することを目的とする。
【課題を解決するための手段】
【０００５】
上記目的を達成するために、本考案に係わるチェーンの張力の調整機構を備えるチェーン式刃物マガジンは、台座、転向座、チェーン、モータ及びチェーンの張力の調整機構を含む。前記台座はベース部を有し、前記転向座は、前記ベース部に対して移動可能に前記台座に結合されるとともに、転向部を有し、前記チェーンは、前記転向座の転向部に掛け回するように配置され、モータに駆動され前記台座によって提供されるトラックに沿って周回する。前記チェーンの張力の調整機構は、調整部材及び変形部材を含み、前記調整部材が、前記ベース部に対して位置を調整可能に前記ベース部に接続されており、前記変形部材は、一方が前記調整部材に接触されており、他方が前記転向座に接触されている異なる両端を有し、前記変形部材は、外力を受けると変形して機械的ポテンシャルエネルギーを蓄積し、前記外力を取り除くと蓄積した機械的ポテンシャルエネルギーを放出して初期形状に戻る。
【考案の効果】
【０００６】
本考案によれば、前記チェーンの張力の調整機構によって、チェーンの張力のバランスを維持し、チェーンの使用寿命を効果的に延長することができる。
【図面の簡単な説明】
【０００７】
【図１】本考案の第一の好ましい実施形態に係わるチェーンの張力の調整機構を備えるチェーン式刃物マガジンの斜視図である。
【図２】図１に示すチェーン式刃物マガジンの上面図である。
【図３】図２に示すチェーン式刃物マガジンの一部部材の概略図である。
【図４】図３に示す部材の部分拡大斜視図である。
【図５】図４に示す台座を含まず部材の斜視分解図である。
【図６】図４に示す台座を含まず部材の正面図である。
【図７】図６と同様に、チェーン式刃物マガジンのチェーンの張力の調整機構における変形部材が変形する状態を示す図である。
【図８】本考案の第二の好ましい実施形態に係わるチェーンの張力の調整機構を備えるチェーン式刃物マガジンの斜視図である。
【図９】図８に示すチェーン式刃物マガジンの一部部材の斜視分解図である。
【図１０】図９に示す構造の一部部材の斜視図である。
【図１１】図１０に示す構造の部分上面図である。
【図１２】図１１の１２−１２線の断面図である。
【図１３】図１１と同様に、チェーン式刃物マガジンのチェーンの張力の調整機構における変形部材が変形する状態を示す図である。
【考案を実施するための形態】
【０００８】
本考案をより明確に説明するために、好ましい実施形態を図面を参照して以下に詳細に説明する。図１〜図５を参照すると、本考案の第一の好ましい実施形態に係わるチェーン式刃物マガジン１００は、台座１０、二つの転向座、モータ１６、チェーン１８及びチェーンの張力の調整機構２０を含む。
【０００９】
前記台座１０は、刃物マガジンの本体として固定される。台座１０には、固定ブロック１１で構成されたベース部がロックされ、固定ブロック１１は、ねじ孔１１ａ及び複数の穿孔１１ｂを有する。
【００１０】
前記二つの転向座は、前記台座１０の対向する両側にそれぞれ配置され、一方の転向座は、モータ１６に結合され、且つモータ１６に駆動され回動するため、駆動スプロケット１２と称する。他方の転向座は、チェーン１８の行進トラックを変更するため、転向スプロケット１４と称する。本実施形態の転向スプロケット１４は、前記固定ブロック１１に対して移動可能に前記台座１０に結合され、略半円盤状に形成され、弧状縁部は転向部１４ａを構成し、水平縁部は当接部１４ｂを構成し、且つ転向スプロケット１４の盤面には複数の平行な長溝孔１４ｃを有する。前記長溝孔１４ｃはそれぞれ前記台座１０に接続されたガイドピン１３によって貫通され、転向スプロケット１４を偏向せずに、水平方向にしか移動しないようにする。更に、長溝孔１４ｃの長辺方向に両端は、転向スプロケット１４の移動範囲を規制する。転向スプロケット１４が不適切に偏向することを回避するように、前記ガイドピン１３及び長溝孔１４ｃの数は複数である。他の実施形態において、ガイドピンが長溝孔の平行溝壁と嵌合する二つの平面を有する場合、ガイドピン及び長溝孔の数は一つであっても、転向スプロケットの不適切な偏向を回避する目的を達成することができる。また、ガイドピン１３の外部に耐摩耗性のピンスリーブ１５を外嵌することで長溝孔１４ｃの溝壁との間の接触耐摩耗性を向上させる。
【００１１】
前記チェーン１８は、前記駆動スプロケット１２及び前記転向スプロケット１４の転向部１４ａに接触しながらそれらに掛け回するように配置される。前記駆動スプロケット１２はモータ１６に駆動されて回動することで、チェーン１８は、台座１０に沿って予定のトラックで周回し、チェーン１８には複数のケース（ｔｏｏｌ  ｐｏｔ）１９が搭載されている。
【００１２】
前記チェーンの張力の調整機構２０は、調整部材及び変形部材を含み、前記変形部材は、前記固定ブロック１１と前記転向スプロケット１４との間に配置される。前記転向スプロケット１４に掛け回するチェーン１８は張力が適当に調整されバランスを保持するように、前記調整部材は前記変形部材の復元力を変更する。本実施形態において、調整部材は、スクリュ２１と調整ブロック２２とを含み、変形部材はスプリングであるが、フラットワイヤースプリング２３（Ｆｌａｔ  ｗｉｒｅ  ｃｏｍｐｒｅｓｓｉｏｎ  Ｓｐｒｉｎｇ）は好ましい。また、チェーンの張力の調整機構２０は、更に緩み止めナット２４及びガイドロッド２５を含む。スクリュ２１は、互いに接続されたヘッド部２１ａ及びねじ部２１ｂを含む。ヘッド部２１ａが操作されて前記固定ブロック１１のねじ孔１１ａにロックされたねじ部２１ｂをスクリューイン・アウトさせる。調整ブロック２２は、複数の穿孔２２ａを有し、前記ねじ部２１ｂの、前記スクリュ２１に対向する端部に配置されるとともに前記固定ブロック１１と前記転向スプロケット１４との間に位置し、本考案で定義された支持部を構成する。フラットワイヤースプリング２３は、前記調整ブロック２２と前記転向スプロケット１４との間に配置され、両端が前記調整ブロック２２及び前記転向スプロケット１４の当接部１４ｂにそれぞれ当接している。フラットワイヤースプリング２３の復元力は、前記調整ブロック２２を前記スクリュ２１のねじ部２１ｂの一端に当接させるように保持する。前記緩み止めナット２４は、前記ねじ部２１ｂにロックされ、且つ緩み止めナット２４が前記固定ブロック１１の表面に当接すると、前記固定ブロック１１に対してスクリュ２１の結合位置を確保して、スクリュ２１の不適切な離脱を回避することができる。ガイドロッド２５は、前記固定ブロック１１の穿孔１１ｂ及び前記調整ブロック２２の穿孔２２ａを貫通してから、フラットワイヤースプリング２３を貫通して一端が前記転向スプロケット１４に固定接続される。本実施形態において、ガイドロッド２５は、雄ネジを有し、転向スプロケット１４のねじ穴１４ｄにロックされることで固定接続の目的は達成される。これによって、ガイドロッド２５は、転向スプロケット１４とともに移動することができる。前記ガイドロッド２５によって、調整ブロック２２を安定させるとともに、フラットワイヤースプリング２３の不適切な離脱を防止することができる。本実施形態のフラットワイヤースプリング２３及びガイドロッド２５の数は複数であるが、実際の必要に応じて、フラットワイヤースプリング２３及びガイドロッド２５は、一対一で配置されてもよい。
【００１３】
上述のチェーンの張力の調整機構２０は、台座１０と転向スプロケット１４との間に配置され、行進中のチェーン１８が、転向スプロケット１４を境にチェーンセグメントの一部が張力や押力を受けて構造的振動が発生した場合、転向スプロケット１４が台座１０にロックされた固定ブロック１１に対して移動可能であり、しかも、転向スプロケット１４と固定ブロック１１との間に複数のフラットワイヤースプリング２３が配置されているため、行進中のチェーン１８の発生する各回の振動（すなわち、外力）が前記転向スプロケット１４に作用すると、前記複数のフラットワイヤースプリング２３は変形し、機械的ポテンシャルエネルギー（位置エネルギー）を吸収・蓄積するとともに、外力を取り除くと、蓄積した機械的ポテンシャルエネルギーを放出して初期形状に戻る。このように繰り返し、チェーン１８をスムーズに行進させることに役に立ち、チェーン１８の張力のバランスを効果的に保持でき、既存のチェーン式刃物マガジンのチェーンの不均一な張力によるクリック現象を改善し、これによって、チェーンの使用寿命を効果的に延ばすことができる。また、図６及び図７に示したように、本実施形態によれば、固定ブロック１１に対してスクリュ２１をスクリューイン・アウトさせることで調整ブロック２２から転向スプロケット１４の当接部１４ｂまでの距離を変更し、フラットワイヤースプリング２３の圧縮量を更に変更して前記チェーンの張力の調整機構２０をチェーン１８の張力により適合させる。すなわち、より良好な協調性を有する。
【００１４】
上述の実施形態のチェーン式刃物マガジンは、チェーンの張力の調整機構が転向スプロケットに配置されているが、以下、図８に示す本考案の第二の好ましい実施形態のチェーン式刃物マガジン２００は、チェーンの張力の調整機構は、駆動スプロケットに配置されている。
【００１５】
図９〜図１２を参照すると、前記チェーン式刃物マガジン２００の台座３０の両側にはそれぞれ一つの転向座が取り付けられ、その内、モータ３６が結合された転向座を駆動スプロケット３２を称し、モータ３６が結合されない転向座を転向スプロケット３４を称する。また、台座３０に固定ブロック３１で構成されたベース部がロックされ、しかも、台座３０の、駆動スプロケット３２に近接する側に更に二つの固定板３３がロックされている。前記固定ブロック３１は、二つのねじ穴３１ａを有し、前記固定板３３と台座３０との間にシュートＳが形成されている。また、前記駆動スプロケット３２は、スライド台３２１及び伝動用回転盤３２２を含み、伝動用回転盤３２２は、回転可能にスライド台３２１の一端に接続され、本考案で定義された転向部を構成する。スライド台３２１は、シュートＳに位置する二つのウィングブロック３２１ａを有し、駆動スプロケット３２がシュートＳに沿って前記固定ブロック３１に対して移動することができる。チェーン３８は、伝動用回転盤３２２及び転向スプロケット３４に接触しながらそれらを掛け回するように配置される。モータ３６は、スライド台３２１にロックされ、伝動用回転盤３２２を回転させてチェーン３８を周回させるように駆動することができる。
【００１６】
本実施形態のチェーンの張力の調整機構４０は、同様に、変形部材及び調整部材を含み、変形部材もフラットワイヤースプリング４１を例とするが、これに限定されない。調整部材は軸孔４２ａを有し外周面にねじ部４２ｂが配置されている軸管４２を含み、前記ねじ部４２ｂは、固定ブロック３１のねじ穴３１ａにロックされ、前記フラットワイヤースプリング４１の両端は、それぞれ軸管４２及び駆動スプロケット３２に作用する。フラットワイヤースプリング４１の復元力は、チェーン３８が行進する過程において駆動スプロケット３２に掛ける構造的振動を効果的に吸収することができる。
【００１７】
また、フラットワイヤースプリング４１を安定させて不適切な離脱を防止するように、本実施形態に係わるチェーンの張力の調整機構４０は、更にガイドロッド４３を含み、ガイドロッド４３は、軸管４２の軸孔４２ａを貫通して、フラットワイヤースプリング４１を貫通した後に、ライナー管３２３にロックされる。ライナー管３２３は、更にストップボルト３２４を介してスライド台３２１に固定接続される。前記スライド台３２１、ライナー管３２３及びストップボルト３２４は、転向座の一部であるとみなされる。ガイドロッド４３は、ライナー管３２３にロックされるため、スライド台３２１と共に移動することができる。前記フラットワイヤースプリング４１の一端は、軸管４２の基端に当接しており、他端は、ライナー管３２３に当接している。前記軸管４２の基端は、本考案で定義された支持部を構成する。ライナー管３２３の、フラットワイヤースプリング４１に当接する部位を本考案で定義された当接部を構成する。更に、チェーンの張力の調整機構４０は、軸管４２のねじ部４２ｂにロックされた緩み止めナット４４を更に含む。緩み止めナット４４は、固定ブロック３１に当接すると、軸管４２を動かないように安定させる。本実施形態によれば、前記緩み止めナット４４を緩めてから、軸管４２を、前記ねじ穴３１ａをスクリューイン・アウトさせて固定ブロック３１に対して軸管４２の結合位置を変更させる。即ち、図１３を参照すると、軸管４２の位置を調整することでフラットワイヤースプリング４１を圧縮する状態を示す。その後、固定ブロック３１に当接させるように緩み止めナット４４を回転する。このように、フラットワイヤースプリング４１の圧縮量を変更することで前記チェーンの張力の調整機構４０をチェーン３８の張力に合わせて良好な協調性が得られる。一つの実施形態において、軸管４２の頂部は、多角形のヘッド部４２ｃであり、これによって、ツールで簡単に軸管４２を回動駆動することができる。
【００１８】
上述の第一及び第二の実施形態からわかるように、本考案のチェーンの張力の調整機構は、駆動スプロケット又は転向スプロケットを適用できる。実施形態に記載の転向座は、一つの駆動スプロケット及び一つの転向スプロケットしか含まれないが、異なる機種のチェーン式刃物マガジンにおいて、転向座の数は、必要に応じて増設することができる。本考案に係わるチェーンの張力の調整機構は、一つ転向座のみに配置されることに限らず、実際の必要に応じて追加することができる。尚、上述の調整部材、変形部材及びガイドロッドの数は、一つまたは二つに限らず、既存の機能に影響を与えない限り、必要に応じて増減することができる。
【００１９】
上述したものは本考案の好ましい実施形態に過ぎず、本考案の明細書及び実用新案登録請求の範囲の均等な変化はすべて、本考案の実用新案登録請求の範囲内に含まれるべきである。
【符号の説明】
【００２０】
［本考案］
１００、２００：チェーン式刃物マガジン
１０：台座
１１：固定ブロック
１１ａ：ねじ孔
１１ｂ：穿孔
１２：駆動スプロケット
１３：ガイドピン
１４：転向スプロケット
１４ａ：転向部
１４ｂ：当接部      
１４ｃ：長溝孔
１４ｄ：ねじ穴
１５：ピンスリーブ
１６：モータ
１８：チェーン
１９：ケース
２０：チェーンの張力の調整機構
２１：スクリュ
２１ａ：ヘッド部
２１ｂ：ねじ部
２２：調整ブロック
２２ａ：穿孔
２３：フラットワイヤースプリング  
２４：緩み止めナット    
２５：ガイドロッド  
３０：台座
３１：固定ブロック
３１ａ：ねじ穴
３２：駆動スプロケット
３２１：スライド台
３２１ａ：ウィングブロック  
３２３：ライナー管
３２４：ストップボルト  
３２２：伝動用回転盤
３３：固定板
３４：転向スプロケット
３６：モータ
３８：チェーン
４０：チェーンの張力の調整機構
４１：フラットワイヤースプリング  
４２：軸管
４２ａ：軸孔
４２ｂ：ねじ部
４２ｃ：多角形のヘッド部
４３：ガイドロッド  
４４：緩み止めナット    
Ｓ：シュート
【図１】
0003233358.tif 000003
【図２】
0003233358.tif 000004
【図３】
0003233358.tif 000005
【図４】
0003233358.tif 000006
【図５】
0003233358.tif 000007
【図６】
0003233358.tif 000008
【図７】
0003233358.tif 000009
【図８】
0003233358.tif 000010
【図９】
0003233358.tif 000011
【図１０】
0003233358.tif 000012
【図１１】
0003233358.tif 000013
【図１２】
0003233358.tif 000014
【図１３】
0003233358.tif 000015